(57)【特許請求の範囲】
【請求項１】
表て面（１Ａ）に面状ファスナーの雌部（９）が形成された第１防具部材（１）と、上記雌部（９）に着脱自在な面状ファスナーの雄部（８）を左右両側縁部（１５）（１５）の裏面に有する第２防具部材（２）とを、備え、
上記第１防具部材（１）は、横断面弯曲状の硬質保護板（５）を内有し、該第１防具部材（１）の全体が横断面アーチ型に形成され、
上記第２防具部材（２）は、帯板状に形成された３枚の硬質芯材（２０）を内有し、かつ、各硬質芯材（２０）の長手方向が上下方向となるよう３枚の硬質芯材（２０）が並設され、隣り合う上記硬質芯材（２０）（２０）の間に上下方向の縫い目（２１）が縫製されて折曲可能に形成され、
上記第２防具部材（２）は、該第２防具部材（２）の左右両側縁部（１５）（１５）が、上記面状ファスナーの雄部（８）及び雌部（９）によって、上記第１防具部材（１）に取着されるとともに、上記縫い目（２１）に沿って折曲げられた横断面門型であって、上記第１防具部材（１）の表て面（１Ａ）と上記第２防具部材（２）の裏面（２Ｂ）との間に、上下方向に開口して上記第２防具部材（２）の変形を許容する空隙部（１０）を形成するように構成したことを特徴とするエルボガード。
【請求項２】
表て面（１Ａ）に面状ファスナーの雌部（９）が形成された第１防具部材（１）と、上記雌部（９）に着脱自在な面状ファスナーの雄部（８）を左右両側縁部（１５）（１５）の裏面に有する第２防具部材（２）とを、備え、
上記第１防具部材（１）は、横断面弯曲状の硬質保護板（５）を内有し、該第１防具部材（１）の全体が横断面アーチ型に形成され、かつ、上記第２防具部材（２）は、上記硬質保護板（５）の曲率半径（Ｒ１）より小さな曲率半径（Ｒ２）にて弯曲する硬質弯曲芯材（６）を内有し、
上記第２防具部材（２）の左右両側縁部（１５）（１５）が、上記面状ファスナーの雄部（８）及び雌部（９）によって、上記第１防具部材（１）に取着され、上記第１防具部材（１）の表て面（１Ａ）と上記第２防具部材（２）の裏面（２Ｂ）との間に、上下方向に開口して上記第２防具部材（２）の変形を許容する横断面三日月状の空隙部（１０）を形成するように構成したことを特徴とするエルボガード。
【請求項３】
上記第１防具部材（１）は、面状ファスナーの雌部（１９）を裏面（１Ｂ）に有し、
さらに、裏面（３Ｂ）に面状ファスナーの雌部（１９）が形成された補助防具部材（３）と、上記第１防具部材（１）及び上記補助防具部材（３）の上記各雌部（１９）（１９）に着脱自在な面状ファスナーの雄部（１８）を一面（１４）に有する連結片（４）とを、備え、
上記連結片（４）によって、上記第１防具部材（１）と上記補助防具部材（３）を連結分離可能とした請求項１又は２記載のエルボガード。
【発明の詳細な説明】
【技術分野】
【０００１】
本発明は、球技用のエルボガードに関する。
【背景技術】
【０００２】
従来、野球やソフトボール等の球技に於て、投球されたボールが打者の腕に直接当たらないようにしてケガを防止するエルボガードが使用されている（特許文献１参照）。
【先行技術文献】
【特許文献】
【０００３】
【特許文献１】特表２００３−５０５１７３号公報
【発明の概要】
【発明が解決しようとする課題】
【０００４】
しかし、特許文献１記載のエルボガードは、投球されたボールの衝撃で使用者の腕を打撲させたり骨折させたりしないよう剛性を高く設定する必要があり、外側の硬質剛性基材の厚さ寸法を大きくしなければならなかった。また、硬質剛性基材を厚くすることで、エルボガードの重量が重くなり、プレーの邪魔になるという欠点があった。
【０００５】
そこで、本発明は、軽量で、かつ、投球されたボールの衝撃から打者の腕を確実に保護し得るエルボガードを提供することを目的とする。
【課題を解決するための手段】
【０００６】
本発明に係るエルボガードは、表て面に面状ファスナーの雌部が形成された第１防具部材と、上記雌部に着脱自在な面状ファスナーの雄部を左右両側縁部の裏面に有する第２防具部材とを、備え、上記第１防具部材は、横断面弯曲状の硬質保護板を内有し、該第１防具部材の全体が横断面アーチ型に形成され、上記第２防具部材は、帯板状に形成された３枚の硬質芯材を内有し、かつ、各硬質芯材の長手方向が上下方向となるよう３枚の硬質芯材が並設され、隣り合う上記硬質芯材の間に上下方向の縫い目が縫製されて折曲可能に形成され、上記第２防具部材は、該第２防具部材の左右両側縁部が、上記面状ファスナーの雄部及び雌部によって、上記第１防具部材に取着されるとともに、上記縫い目に沿って折曲げられた横断面門型であって、上記第１防具部材の表て面と上記第２防具部材の裏面との間に、上下方向に開口して上記第２防具部材の変形を許容する空隙部を形成するように構成したものである。
【０００７】
また、表て面に面状ファスナーの雌部が形成された第１防具部材と、上記雌部に着脱自在な面状ファスナーの雄部を左右両側縁部の裏面に有する第２防具部材とを、備え、上記第１防具部材は、横断面弯曲状の硬質保護板を内有し、該第１防具部材の全体が横断面アーチ型に形成され、かつ、上記第２防具部材は、上記硬質保護板の曲率半径より小さな曲率半径にて弯曲する硬質弯曲芯材を内有し、上記第２防具部材の左右両側縁部が、上記面状ファスナーの雄部及び雌部によって、上記第１防具部材に取着され、上記第１防具部材の表て面と上記第２防具部材の裏面との間に、上下方向に開口して上記第２防具部材の変形を許容する横断面三日月状の空隙部を形成するように構成したものである。
【０００８】
また、上記第１防具部材は、面状ファスナーの雌部を裏面に有し、さらに、裏面に面状ファスナーの雌部が形成された補助防具部材と、上記第１防具部材及び上記補助防具部材の上記各雌部に着脱自在な面状ファスナーの雄部を一面に有する連結片とを、備え、上記連結片によって、上記第１防具部材と上記補助防具部材を連結分離可能としたものである。
【発明の効果】
【０００９】
本発明のエルボガードによれば、空隙部によって第２防具部材の変形が許容されてボールの衝撃エネルギーを瞬間的に吸収でき、打者の腕を確実に保護できる。軽量化でき、プレーの邪魔にならず、打者が快適にプレーできる。使用者の好みやプレースタイルに合わせて、第１防具部材・第２防具部材の取着位置を自在に調整できる。右打席用・左打席用を兼用でき、右打ち、左打ち、あるいは、スイッチヒッターの全てに対応できる。製造メーカーや販売店にとっては、商品の数を減らし、部品を少なくできる。
【図面の簡単な説明】
【００１０】
【図１】本発明の実施の一形態の取付使用状態を示した斜視図である。
【図２】取付使用状態の断面平面図であり、（ｂ）は第１防具部材の拡大断面平面図であり、（ｃ）は第２防具部材の拡大断面平面図である。
【図３】本発明の実施の一形態を示した正面図である。
【図４】本発明の実施の一形態を示した背面図である。
【図５】本発明の他の実施形態の取付使用状態を示した斜視図である。
【図６】取付使用状態の断面平面図である。
【図７】本発明の別の実施形態の取付使用状態を示した断面平面図である。
【図８】第１防具部材と第２防具部材の取着位置を説明する正面図であって、（ａ）第１防具部材と第２防具部材の取着位置の一例を示す正面図であり、（ｂ）は他の例を示す正面図であり、（ｃ）は別の例を示す正面図である。
【図９】本発明のエルボガードの作用を説明するための簡略図である。
【図１０】本発明のエルボガードの作用を説明するための斜視図である。
【図１１】本発明のさらに別の実施形態を示した斜視図である。
【発明を実施するための形態】
【００１１】
以下、実施の形態を示す図面に基づき本発明を詳説する。
図１〜図４に示すように、本発明のエルボガードは、第１防具部材１と第２防具部材２とを備え、第１防具部材１の表て面１Ａに全面にわたって面状ファスナーの雌部９が形成され、かつ、第２防具部材２の裏面２Ｂの一部に、面状ファスナーの雌部９に着脱自在な面状ファスナーの雄部８を有している。
【００１２】
第１防具部材１は、横断面が弓形弯曲状の硬質保護板５を内有し、自由状態で、全体がアーチ型の弯曲形状に形成されている。第１防具部材１は、図２（ａ）と（ｂ）に示すように、ナイロン系又はポリエステル系合成樹脂から成る表皮２６と、低発泡ポリエチレン又は低発泡ポリプロピレンから成る硬質保護板５と、ポリエチレン系発泡樹脂又はポリウレタン系発泡樹脂から成る発泡内装体２７と、ナイロン系又はポリエステル系合成樹脂から成る裏地２８とを、順次積層し、外周縁の全周にわたって縁巻部２９が縫製されている。第１防具部材１の裏面１Ｂ（肌対応面）には、全面にわたって面状ファスナーの雌部１９が形成されている。第１防具部材１は、硬質保護板５の左右外方に近接して上下方向の縫い目２５，２５が縫製されている。また、第１防具部材１の左側縁部又は右側縁部には装着用ベルト３０が付設されている。
【００１３】
第２防具部材２は、図２（ａ）と（ｃ）に示すように、ナイロン系又はポリエステル系合成樹脂あるいは合成皮革から成る表皮１１と、低発泡ポリエチレン又は低発泡ポリプロピレンから成る複数の硬質芯材２０と、ポリエチレン系発泡樹脂又はポリウレタン系発泡樹脂から成る発泡体１２と、ナイロン系又はポリエステル系合成樹脂あるいは合成皮革から成る裏地１３とを、順次積層し、外周縁の全周にわたって縁巻部１６が縫製されている。第２防具部材２は、裏面２Ｂの中央領域を除き、左右両側縁部１５，１５に沿って面状ファスナーの雄部８を有している（図４参照）。
硬質芯材２０は、帯板状に形成されて上下方向に配設されている。また、硬質芯材２０は、弾性変形可能である。複数の硬質芯材２０の内、中央に比較的幅の広い（面積大の）硬質芯材２０Ａを配設し、その両隣に比較的幅の狭い（面積小の）硬質芯材２０Ｂ，２０Ｂを配設している。第２防具部材２は、中央の硬質芯材２０Ａと隣り合う硬質芯材２０Ｂ，２０Ｂの間に、上下方向の縫い目（ステッチ）２１，２１を縫製することで、発泡体１２が圧縮されて窪み２２が凹設され、窪み２２（縫い目２１）に沿って折曲自在に形成されている。なお、第２防具部材２は、硬質芯材２０Ｂ，２０Ｂの左右外方に近接して縫い目２３，２３が縫製されている。
【００１４】
図１と図２に示すように、第１防具部材１の表て面１Ａ側に第２防具部材２を重ね合わせて、面状ファスナーの雌部９に雄部８を取着した取付使用状態で、第１防具部材１の表て面１Ａと第２防具部材２の裏面２Ｂとの間に、第２防具部材２の変形を許容するための空隙部１０を形成している。
図２（ａ）に示すように、取付使用状態で、第２防具部材２は、縫い目２１，２１に沿って折曲げられて横断面門型の姿勢となり、左右両側縁部１５，１５が、裏面２Ｂの面状ファスナーの雄部８によって、第１防具部材１の表て面１Ａの雌部９に取着されて、横断面門型の姿勢を保持し、第１防具部材１の表て面１Ａと第２防具部材２の裏面２Ｂとの間に、空隙部１０を形成している。
【００１５】
次に、本発明の他の実施形態について説明する。
図５，図６では、第２防具部材２は、表皮１１と、低発泡ポリエチレン又は低発泡ポリプロピレンから成る硬質弯曲芯材６と、裏地１３とを、順次積層している。外周縁の全周にわたって縁巻部１６が縫製されている。第２防具部材２は、裏面２Ｂの左右両側縁部１５，１５に沿って面状ファスナーの雄部８を有している。第１防具部材１は、図１〜図４と同様の構成であるため詳しい説明を省略する。
硬質弯曲芯材６は、横断面が弓形弯曲状に形成された１枚物の樹脂成形品であって、弾性変形可能である。硬質弯曲芯材６は、第１防具部材１が内有する硬質保護板５の曲率半径Ｒ１より小さな曲率半径Ｒ２にて弯曲している。即ち、第２防具部材２は、自由状態で、第１防具部材１より小さなアーチ型の弯曲形状である。なお、硬質弯曲芯材６の左右外方に近接して縫い目２４，２４が縫製されている。
本発明に於て、硬質保護板５の曲率半径Ｒ１とは、中心点Ｏ１から硬質保護板５の内周面までの距離とし、硬質弯曲芯材６の曲率半径Ｒ２とは、中心点Ｏ２から硬質弯曲芯材６の内周面までの距離とする。
【００１６】
図５と図６に示すように、第１防具部材１と第２防具部材２を重ね合わせて、面状ファスナーの雌部９に雄部８を取着した取付使用状態で、第２防具部材２の左右両側縁部１５，１５が、面状ファスナーの雄部８と雌部９によって、第１防具部材１の表て面１Ａに取着されて、第１防具部材１の表て面１Ａと第２防具部材２の裏面２Ｂとの間に、横断面三日月形状の空隙部１０が形成されている。
【００１７】
次に、図７では、第２防具部材２は、表皮１１と、ポリエチレン系発泡樹脂又はポリウレタン系発泡樹脂から成る発泡体１２と、裏地１３とを、順次積層している。第１防具部材１は、図１〜図４と同様の構成である。
第２防具部材２は、自由状態で、第１防具部材１より小さなアーチ型の弯曲形状に形成されている。発泡体１２は、厚み方向の弾性圧縮変形にて（ボール等の）衝撃を吸収する。取付使用状態で、第２防具部材２と第１防具部材１に重ね合わせて、第２防具部材２の左右両側縁部１５，１５の面状ファスナーの雄部８を雌部９に取着して、第１防具部材１の表て面１Ａと第２防具部材２の裏面２Ｂとの間に、横断面三日月形状の空隙部１０が形成されている。
【００１８】
上述した本発明のエルボガードの使用方法（作用）について説明する。
図９に示すように、本発明のエルボガード（図１，図２参照）にボールＢが衝突すると、第２防具部材２の表て面２Ａに強い衝撃力Ｆ０が付与される。このとき、第２防具部材２は、衝撃力Ｆ０によって、図中矢印Ｍ１，Ｍ２に示すような曲げが生じ、衝撃エネルギーを瞬間的に吸収する。このようにして、第１防具部材１に伝わる衝撃が大きく軽減される。即ち、ボールＢが第２防具部材２に衝突した際、空隙部１０によって第２防具部材２の変形が許容されて、衝撃エネルギーを瞬間的に吸収する。かつ、図９と図１０に矢印Ｆ１，Ｆ１にて示すように、左右両側方へ衝撃力が分散しつつ第１防具部材１の左右両側縁に伝達され、しかも、上下方向にも分散しつつ伝達されるので、第１防具部材１及び使用者の腕への衝撃が和らぐ。従って、第１防具部材１・第２防具部材２によって、使用者の腕を打撲させたり骨折させたりしないよう保護することができる。
【００１９】
また、上述の構成によって、図８に示すように、第１防具部材１と第２防具部材２の取着位置を自由に調整可能となる。図８（ａ）では、第１防具部材１の左右方向中心線Ｃ１と第２防具部材２の左右方向中心線Ｃ２が同一直線上に一致するように配設され、図８（ｂ）では、第１防具部材１に対し第２防具部材２が左側に偏在し、図８（ｃ）では、第１防具部材１に対し第２防具部材２が右側に偏在している。
図示省略するが、本発明のエルボガードを使用者の腕に装着した使用状態で、例えば、使用者のバッティングスタンスやバットの構え方によって、ボールが当たり易い場所が違ってくる為、使用者のバッティングスタイルに対応して、使用者の腕に装着した第１防具部材１を基準として第２防具部材２の取着位置を上下左右にずらして調整可能としている。なお、一般的に、腕の前面にボールが当たることが多く、第２防具部材２が腕の前面を保護するようにずらして装着する。スイッチヒッターは、右打席に入る時は左腕にエルボガードを装着し、左打席に入る時は右腕にエルボガードを装着し、その都度、腕の前面を保護するように第２防具部材２の取着位置を左右に調整する。即ち、本発明のエルボガードは、右打席用・左打席用を兼用でき、右打ち、左打ち、あるいは、スイッチヒッターの全てに対応でき、かつ、製造メーカーや販売店にとっては、商品の数を減らし、部品を少なくできる利点がある。
【００２０】
図１１に示すように、上記の構成（第１防具部材１・第２防具部材２）に加え、さらに、裏面３Ｂに面状ファスナーの雌部１９が形成された補助防具部材３と、第１防具部材１・補助防具部材３の各雌部１９，１９に着脱自在な面状ファスナーの雄部１８を一面１４に有する連結片４とを、備えていても良い。
連結片４によって、第１防具部材１と補助防具部材３を連結分離可能とし、第１防具部材１と補助防具部材３を連結して装着した際は、使用者の腕をより広い範囲で保護できる。なお、連結片４が一部品として独立して存在し、第１防具部材１・補助防具部材３と分離自在である為、第１防具部材１から補助防具部材３を分離して夫々を単独で使用する場合でも、連結片４が邪魔にならず、使用者の好みやプレースタイルに合わせた使用形態を選択できる。また、第１防具部材１と補助防具部材３の取着位置の調整も容易に行える利点がある。
【００２１】
なお、本発明は、設計変更可能であって、例えば、第１防具部材１は、平板状の硬質保護板５や折曲状の硬質保護板５を内有しても良い。また、図６に示す第２防具部材２は、硬質弯曲芯材６の裏面側に発泡体１２を有するものでも良い。発泡体１２を内有することで、厚み方向の弾性圧縮変形にてボールＢの衝撃をより多く吸収できる利点がある。
【００２２】
以上のように、本発明に係るエルボガードは、表て面１Ａに面状ファスナーの雌部９が形成された第１防具部材１と、上記雌部９に着脱自在な面状ファスナーの雄部８を裏面２Ｂに有する第２防具部材２とを、備え、上記第１防具部材１と上記第２防具部材２を重ね合わせて上記雌部９に上記雄部８を取着した取付使用状態で、上記第１防具部材１の表て面１Ａと上記第２防具部材２の裏面２Ｂとの間に、空隙部１０を形成したので、空隙部１０によって第２防具部材２の変形が許容されてボールＢの衝撃エネルギーを瞬間的に吸収でき、打者の腕を確実に保護できる。軽量化でき、プレーの邪魔にならない。使用者の好みやプレースタイルに合わせて、第１防具部材１・第２防具部材２の取着位置を自在に調整できる。右打席用・左打席用を兼用でき、右打ち、左打ち、あるいは、スイッチヒッターの全てに対応できる。製造メーカーや販売店にとっては、商品の数を減らし、部品を少なくできる。
【００２３】
また、上記第１防具部材１は、横断面弯曲状の硬質保護板５を内有し、全体がアーチ型に形成され、かつ、上記第２防具部材２は、帯板状に形成された複数の硬質芯材２０を上下方向に内有し、隣り合う上記硬質芯材２０，２０の間に上下方向の縫い目２１が縫製されて折曲可能に形成され、上記取付使用状態で、上記第２防具部材２の左右両側縁部１５，１５が、上記面状ファスナーの雄部８・雌部９によって、上記第１防具部材１に取着されているので、第２防具部材２が安定した姿勢を保持でき、第１防具部材１の表て面１Ａと第２防具部材２の裏面２Ｂの間に空隙部１０が確実に形成されて、ボールＢが衝突して第２防具部材２に強い衝撃力Ｆ０が付与された際、第２防具部材２が変形して衝撃エネルギーを瞬間的に吸収でき、ボールＢの衝撃から使用者の腕を確実に保護できる。
【００２４】
また、上記第１防具部材１は、横断面弯曲状の硬質保護板５を内有し、全体がアーチ型に形成され、かつ、上記第２防具部材２は、上記硬質保護板５の曲率半径Ｒ１より小さな曲率半径Ｒ２にて弯曲する硬質弯曲芯材６を内有し、上記取付使用状態で、上記第２防具部材２の左右両側縁部１５，１５が、上記面状ファスナーの雄部８・雌部９によって、上記第１防具部材１に取着されているので、第２防具部材２の剛性を確保でき、かつ、第２防具部材２が安定した姿勢を保持でき、第１防具部材１の表て面１Ａと第２防具部材２の裏面２Ｂの間に空隙部１０が確実に形成されて、ボールＢが衝突して第２防具部材２に強い衝撃力Ｆ０が付与された際、第２防具部材２が変形して衝撃エネルギーを瞬間的に吸収でき、ボールＢの衝撃から使用者の腕を確実に保護できる。
【００２５】
また、上記第１防具部材１は、横断面弯曲状の硬質保護板５を内有し、全体がアーチ型に形成され、かつ、上記第２防具部材２は、表皮１１と、発泡体１２と、裏地１３とを、順次積層し、自由状態で、上記第１防具部材１より小さなアーチ型の弯曲形状に形成され、上記取付使用状態で、上記第２防具部材２の左右両側縁部１５，１５が、上記面状ファスナーの雄部８・雌部９によって、上記第１防具部材１に取着されているので、第２防具部材２が安定した姿勢を保持でき、第１防具部材１の表て面１Ａと第２防具部材２の裏面２Ｂの間に空隙部１０が確実に形成されて、ボールＢが衝突して第２防具部材２に強い衝撃力Ｆ０が付与された際、第２防具部材２が変形して衝撃エネルギーを瞬間的に吸収でき、しかも、発泡体１２が厚み方向の弾性圧縮変形にてボールＢの衝撃を吸収でき、ボールＢの衝撃から使用者の腕を確実に保護できる。
【００２６】
また、上記第１防具部材１は、面状ファスナーの雌部１９を裏面１Ｂに有し、さらに、裏面３Ｂに面状ファスナーの雌部１９が形成された補助防具部材３と、上記第１防具部材１・上記補助防具部材３の上記各雌部１９，１９に着脱自在な面状ファスナーの雄部１８を一面１４に有する連結片４とを、備え、上記連結片４によって、上記第１防具部材１と上記補助防具部材３を連結分離可能としたので、第１防具部材１と補助防具部材３を連結して装着した際は、使用者の腕をより広い範囲で保護でき、また、連結片４が一部品として独立して存在して、第１防具部材１・補助防具部材３と分離でき、第１防具部材１から補助防具部材３を分離して夫々を単独で、連結片４が邪魔になることなく使用できる。使用者の好みやプレースタイルに合わせた使用形態を選択できる。また、第１防具部材１と補助防具部材３の取着位置を容易に調整できる。
【符号の説明】
【００２７】
１  第１防具部材
１Ａ  表て面
１Ｂ  裏面
２  第２防具部材
２Ｂ  裏面
３  補助防具部材
３Ｂ  裏面
４  連結片
５  硬質保護板
６  硬質弯曲芯材
８  面状ファスナーの雄部
９  面状ファスナーの雌部
１０  空隙部
１１  表皮
１２  発泡体
１３  裏地
１４  一面
１５  側縁部
１８  面状ファスナーの雄部
１９  面状ファスナーの雌部
２０  硬質芯材
２１  縫い目
Ｒ１  曲率半径
Ｒ２  曲率半径
【図１】
0006257678.tif 000002
【図２】
0006257678.tif 000003
【図３】
0006257678.tif 000004
【図４】
0006257678.tif 000005
【図５】
0006257678.tif 000006
【図６】
0006257678.tif 000007
【図７】
0006257678.tif 000008
【図８】
0006257678.tif 000009
【図９】
0006257678.tif 000010
【図１０】
0006257678.tif 000011
【図１１】
0006257678.tif 000012